(57)【要約】【課題】  対象機器のアクセス権設定やセキュリティ設定等に複雑な操作を要せず、大規模且つ複雑なシステムを用いずに、セキュリティ性を確保しつつネットワークを経由して外部端末に対象機器のアクセス権を設定可能とする。【解決手段】  ユーザＹＢの携帯電話端末ＭＢは、ユーザＹＡの携帯電話端末ＭＡとの間で音声通話路が確立され、且つ、ユーザＹＢからアクセス許可指示の入力がなされた時に、携帯電話端末ＭＡからのインターネット１０経由によるアクセスを許可する設定をルータＬＢやＨＤＤレコーダＲＢに行うと共に、それら機器にインターネット１０経由でアクセスを行うためのアクセス情報を携帯電話端末ＭＡへ送信する。携帯電話端末ＭＡは、携帯電話端末ＭＢから送られてきたアクセス情報を利用して、インターネット１０でＨＤＤレコーダＲＢ等へアクセスする。【選択図】  図１
2008210397.tif 000002
【特許請求の範囲】
【請求項１】
少なくとも音声通話を含む通信に使用する第一の通信部と、
ユーザからの指示入力を取得するための操作入力部と、
少なくとも外部ネットワークを経由したアクセスを受け得る機能を備えた所定の対象機器との間で通信を行うための第二の通信部と、
上記第一の通信部を介して他の通信端末との間で音声通話が確立され、且つ、上記操作入力部を介してユーザからアクセス許可指示の入力がなされた時、上記対象機器に対して上記他の通信端末からの外部ネットワーク経由によるアクセスを許可する設定を行うと共に、当該対象機器へ外部ネットワーク経由でアクセスを行うためのアクセス情報を上記第一の通信部を介して上記他の通信端末へ送信する制御部と、
を有することを特徴とする通信端末。
【請求項２】
上記第２の通信部は、所定のローカルエリアネットワークに接続された上記対象機器と通信し、
上記制御部は、当該所定のローカルエリアネットワーク内の上記対象機器についての上記アクセス情報を、上記第一の通信部を介して上記他の通信端末へ送信することを特徴とする請求項１記載の通信端末。
【請求項３】
画面を備えた表示部を有し、
上記制御部は、上記所定のローカルエリアネットワークに接続された複数の機器を上記第２の通信部を通じて検索し、当該検索により得られた各機器のリストを上記表示部の画面上に表示し、上記画面上に表示された複数の機器のリストからユーザが上記操作入力部を介して選択した上記対象機器に対して、上記外部ネットワーク経由によるアクセス許可設定を行うと共に、当該対象機器についての上記アクセス情報を、上記第一の通信部を介して上記他の通信端末へ送信することを特徴とする請求項２記載の通信端末。
【請求項４】
上記制御部は、上記対象機器に対して上記外部ネットワーク経由によるアクセスを許可する設定を行った際に、上記外部ネットワーク経由によるアクセスを一時的に許可するための認証キー情報を上記対象機器に要求し、当該対象機器から取得した認証キー情報を上記アクセス情報に含めることを特徴とする請求項１記載の通信端末。
【請求項５】
上記第一の通信部は、暗号化通信を行う機能を有することを特徴とする請求項１記載の通信端末。
【請求項６】
少なくとも音声通話を含む通信に使用する通信部と、
ユーザからの指示入力を取得するための操作入力部と、
上記通信部を介して他の通信端末との間で音声通話が確立された後に上記他の通信端末から送信されてくる所定のアクセス情報を利用して、外部ネットワーク経由で所定の対象機器へアクセスする制御を行う制御部と、
を有することを特徴とする通信端末。
【請求項７】
画面を備えた表示部を有し、
上記制御部は、上記外部ネットワーク経由で上記対象機器との間の通信路が確立した後、当該通信路を介して操作可能な機能を表す機器情報を上記対象機器から取得し、当該取得した機器情報に基づいて、上記対象機器をユーザが操作するための操作画面を上記表示部に表示させると共に、上記操作入力部を介してユーザから入力された操作指示入力に応じて、上記対象機器の操作制御を行うことを特徴とする請求項６記載の通信端末。
【請求項８】
上記通信部は、暗号化通信を行う機能を有することを特徴とする請求項６記載の通信端末。
【請求項９】
第二の通信端末との間で音声通話が確立され、且つ、ユーザからアクセス許可指示の入力がなされた時に、所定の対象機器に対して上記第二の通信端末からの外部ネットワーク経由によるアクセスを許可する設定を行うと共に、当該対象機器へ外部ネットワーク経由でアクセスを行うためのアクセス情報を上記第二の通信端末へ送信する第一の通信端末と、
上記第一の通信端末との間で音声通話が確立された後に、上記第一の通信端末から送信されてくるアクセス情報を利用して、外部ネットワーク経由で上記対象機器へアクセスする第二の通信端末と、
を有することを特徴とする通信システム。
【請求項１０】
上記第一の通信端末は、所定のローカルエリアネットワークに接続された上記対象機器と通信し、当該所定のローカルエリアネットワーク内の上記対象機器についての上記アクセス情報を、上記第二の通信端末へ送信することを特徴とする請求項９記載の通信システム。
【請求項１１】
上記第一の通信端末は、上記所定のローカルエリアネットワークに接続された複数の機器を検索し、当該検索により得られた各機器のリストを画面表示し、上記画面表示された複数の機器のリストからユーザが選択した上記対象機器に対して、上記外部ネットワーク経由によるアクセス許可設定を行うと共に、当該対象機器についての上記アクセス情報を、上記第二の通信端末へ送信することを特徴とする請求項１０記載の通信システム。
【請求項１２】
上記第一の通信端末は、上記対象機器に対して上記外部ネットワーク経由によるアクセスを許可する設定を行った際に、上記外部ネットワーク経由によるアクセスを一時的に許可するための認証キー情報を上記対象機器に要求し、当該対象機器から取得した認証キー情報を上記アクセス情報に含めることを特徴とする請求項９記載の通信システム。
【請求項１３】
上記第二の通信端末は、上記外部ネットワーク経由で上記対象機器との間の通信路が確立した後、当該通信路を介して操作可能な機能を表す機器情報を上記対象機器から取得し、当該取得した機器情報に基づいて、上記対象機器をユーザが操作するための操作画面表示を行うと共に、ユーザから入力された操作指示入力に応じて、上記対象機器の操作制御を行うことを特徴とする請求項９記載の通信システム。
【請求項１４】
上記第一の通信端末と第二の通信端末は、暗号化通信を行う機能を有することを特徴とする請求項９記載の通信システム。
【発明の詳細な説明】
【技術分野】
【０００１】
本発明は、例えばインターネット等の外部ネットワークへ接続可能となされたホームネットワーク内の各種機器を、インターネット等を通じて外部から制御するのに好適な通信端末及び通信システムに関する。
【背景技術】
【０００２】
従来より、インターネット等の外部ネットワークへ接続可能となされたホームネットワーク内の各種機器に対して、上記インターネット等を通じて外部機器がアクセスを行うような場合には、少なくとも、ルータに対するアクセス権設定と、外部機器がホームネットワークへ接続するための設定とが必要となされている。したがって、事前にアクセス権が設定されている所定の通信端末以外の機器が、外部からホームネットワーク内に接続するのは極めて困難となっている。
【０００３】
一方、国際公開第０１／８２０８６号パンフレット（特許文献１）には、ネットワークの資源へのアクセスを制限された利用者が要求を出すことで、簡単にアクセス権の設定が行えるアクセス権設定装置及び管理者端末を含むシステムが開示されている。このシステムによれば、ネットワーク上の資源へアクセスしたい利用者が、資源、時間、アクセス内容などのアクセス権の設定内容をアクセス要求情報に記述し、アクセス権を管理するアクセス権設定装置へ向けて送信する。そのアクセス要求情報は、アクセス要求情報転送手段により資源の管理者へ転送され、そして、当該管理者が要求内容を確認し承認の判断を下した場合に、アクセス権設定装置により自動でアクセス権の設定が行われる。
【０００４】
また、特開２００３−２４２１１５号の公開特許公報（特許文献２）には、クライアントで煩わしい操作をすることなく、簡単に認証作業を行い、且つ、セキュリティを向上させることができるＨＴＴＰ認証方法が開示されている。このＨＴＴＰ認証方法によれば、アクセス権限のあるユーザが所持する携帯電話端末により、パーソナルコンピュータやＶＴＲを遠隔操作する場合、先ず、サーバ装置に対してダイヤルが行われる。これを受けてＵＲＬ管理部は、有効期限付きの使い捨てのパスワードを作成し、ＳＭＴＰクライアントに通知する。ＳＭＴＰクライアントは、そのパスワードを埋め込んだＵＲＬを記述した電子メールを作成し、携帯電話端末へ送信する。携帯電話端末は、当該ＵＲＬを指定して、ＨＴＴＰサーバにアクセスし、ＨＴＴＰサーバは、ＵＲＬに埋め込まれているパスワードを参照して認証作業を行い、ＨＴＭＬデータを送信又は宅内機器を遠隔操作する。
【０００５】
【特許文献１】国際公開第０１／８２０８６号パンフレット（図１、図２）
【特許文献２】特開２００３−２４２１１５号公報（図１、図２、図５）
【発明の開示】
【発明が解決しようとする課題】
【０００６】
ところで、現実の生活シーンでは、例えば自宅等のパーソナルコンピュータの設定に関してユーザがカスタマーセンタ等に問い合わせを行っている時や、例えば録画機器の操作や設定が苦手な父母が息子等に電話越しで録画の方法を尋ねる時などのように、それら対象機器の設定を行う能力を持った人が、外部からネットワーク経由でその対象機器を直接操作及び設定を行いたいというケースがしばしば見受けられる。
【０００７】
しかしながら、前述したように、外部端末がネットワーク経由で対象機器の設定等を行うためには、当該外部端末に対して事前に対象機器へのアクセス権を与えておくか、若しくは、その場で対象機器のユーザが上記外部端末へアクセス権を設定しなければならない。しかしながら、外部端末に対して事前にアクセス権を与えておくことはセキュリティ上好ましくなく、また、機器の設定，操作に不慣れなユーザがその場で外部端末へアクセス権を設定するような操作等を行うことも難しいと考えられる。
【０００８】
なお、上述の国際公開第０１／８２０８６号パンフレットや特開２００３−２４２１１５号によれば、外部端末に対するアクセス権の設定等を行うことは可能であるが、アクセス権を要求してきている外部端末の認証処理やその構成が複雑且つ大規模になり、非常にコストがかかる。
【０００９】
本発明は、このような実情に鑑みて提案されたものであり、対象機器のアクセス権設定やセキュリティ設定等に複雑な操作を要せず、また、大規模且つ複雑なシステムを用いずに、セキュリティ性を確保しつつネットワークを経由して外部端末に対象機器のアクセス権を設定可能とする通信端末及び通信システムを提供することを目的とする。
【課題を解決するための手段】
【００１０】
本発明の通信端末は、少なくとも音声通話を含む通信に使用する第一の通信部と、ユーザからの指示入力を取得するための操作入力部と、少なくとも外部ネットワークを経由したアクセスを受け得る機能を備えた所定の対象機器との間で通信を行うための第二の通信部と、他の通信端末との間で音声通話が確立され、且つ、ユーザからアクセス許可指示の入力がなされた時、対象機器に対して他の通信端末からの外部ネットワーク経由によるアクセスを許可する設定を行うと共に、当該対象機器へ外部ネットワーク経由でアクセスを行うためのアクセス情報を他の通信端末へ送信する制御部とを有することにより、上述した課題を解決する。
【００１１】
また、本発明の通信端末は、少なくとも音声通話を含む通信に使用する通信部と、ユーザからの指示入力を取得するための操作入力部と、他の通信端末との間で音声通話が確立された後に他の通信端末から送信されてくる所定のアクセス情報を利用して、外部ネットワーク経由で所定の対象機器へアクセスする制御を行う制御部とを有することにより、上述した課題を解決する。
【００１２】
また、本発明の通信システムは、第二の通信端末との間で音声通話が確立され、且つ、ユーザからアクセス許可指示の入力がなされた時に、第二の通信端末からの外部ネットワーク経由によるアクセスを許可する設定を所定の対象機器に行うと共に、当該対象機器へ外部ネットワーク経由でアクセスを行うためのアクセス情報を第二の通信端末へ送信する第一の通信端末と、当該第一の通信端末との間で音声通話が確立された後に、第一の通信端末から送信されてくるアクセス情報を利用して、外部ネットワーク経由で対象機器へアクセスする第二の通信端末とを有することにより、上述した課題を解決する。
【００１３】
すなわち、本発明によれば、通信端末間の音声通話の確立により互いに相手方を特定し、さらに、その特定された相手方の通信端末に対してのみ、自端末がアクセス権を有している対象機器に対する外部ネットワーク経由のアクセスを許可する設定を行うと共に、その相手方の通信端末へ、外部ネットワーク経由で対象機器へアクセスするための情報を与えるようになされている。
【発明の効果】
【００１４】
本発明においては、互いに音声通話が確立され、且つユーザからアクセス許可指示の入力がなされた時に、他方の通信端末からの外部ネットワーク経由によるアクセスを許可する設定を対象機器に行うと共に、その対象機器へ外部ネットワーク経由でアクセスを行うためのアクセス情報を相手方の通信端末へ送信することにより、ユーザが対象機器のアクセス権設定やセキュリティ設定等に複雑な操作を行う必要がなく、また、大規模且つ複雑なシステムを用いずに、セキュリティ性を確保しつつネットワークを経由して相手方の通信端末に対象機器のアクセス権を設定可能である。
【発明を実施するための最良の形態】
【００１５】
以下、図面を参照しながら、本発明の通信端末及び通信システムの一実施形態について説明する。
【００１６】
なお、本実施形態では、本発明の通信端末の一例として携帯電話端末を挙げ、通信システムの一例としてホームネットワークシステムを挙げているが、勿論、ここで説明する内容はあくまで一例であり、本発明はこの例に限定されないことは言うまでもない。
【００１７】
〔システムの概略構成と各機器が有する機能の概略〕
図１には、本発明実施形態の通信システムの概略構成を示す。
【００１８】
図１において、ユーザＹＡの自宅にはホームネットワークＨＮＡが構築されており、同様に、ユーザＹＢの自宅にもホームネットワークＨＮＢが構築されているとする。ユーザＹＡ側のホームネットワークＨＮＡは、少なくとも、ルータＬＡと、無線ＬＡＮ（Local Area Network）用のアクセスポイントＡＰＡとを有して構成されている。同様に、ユーザＹＢ側のホームネットワークＨＮＢは、少なくとも、ルータＬＢと、アクセスポイントＡＰＢと、当該ホームネットワークＨＮＢ内の他の機器の一例であるＨＤＤレコーダＲＢとを有して構成されている。
【００１９】
上記ユーザＹＡの携帯電話端末ＭＡは、一般的な携帯電話端末が備えている機能の他に、少なくとも、無線ＬＡＮ機能とＩＰ（Internet Protocol）電話機能とを備えている。
【００２０】
同様に、上記ユーザＹＢの携帯電話端末ＭＢは、一般的な携帯電話端末が備えている機能の他に、無線ＬＡＮ機能と、ＩＰ電話機能とを備えている。
【００２１】
上記ホームネットワークＨＮＡのアクセスポイントＡＰＡは、無線ＬＡＮのアクセスポイントであり、上記ルータＬＡと接続されている。そして、本実施形態の場合、当該アクセスポイントＡＰＡは、ユーザＹＡの携帯電話端末ＭＡとの間で無線ＬＡＮ接続が可能となされている。
【００２２】
同様に、上記ホームネットワークＨＮＢのアクセスポイントＡＰＢは、無線ＬＡＮのアクセスポイントであり、上記ルータＬＢと接続されている。そして、本実施形態の場合、アクセスポイントＡＰＢは、ユーザＹＢの携帯電話端末ＭＢとの間で無線ＬＡＮ接続が可能となされている。
【００２３】
上記ホームネットワークＨＮＢのＨＤＤレコーダＲＢは、一般的なＨＤＤレコーダが備えているテレビジョン放送受信チューナやＨＤＤ（ハードディスクドライブ）と映像及び音声信号の外部入出力端子の他に、ルータＬＢと接続するための接続端子をも備えている。また、当該ＨＤＤレコーダＲＢには、ユーザＹＢの携帯電話端末ＭＢがネットワーク経由で自機（ＨＤＤレコーダＲＢ）の各種設定や操作を行うためのアクセス権が設定されている。つまり、ホームネットワークＨＮＢのＨＤＤレコーダＲＢには、基本的に、同一セグメント内に存在する携帯電話端末ＭＢの例えばＩＰアドレス等についてのみアクセス権が設定されている。
【００２４】
上記ホームネットワークＨＮＡのルータＬＡは、当該ホームネットワークＨＮＡ内（つまり同一セグメントのホームネットワーク内）の各機器を接続する機能と、ユーザＹＡが加入しているインターネットサービスプロバイダ１２Ａを通じてインターネット１０等の外部ネットワークへ必要に応じて接続する機能とを備えている。また、当該ルータＬＡには、ユーザＹＡの携帯電話端末ＭＡがネットワーク経由で自機（ルータＬＡ）の各種設定等を行うためのアクセス権が設定されている。つまり、ホームネットワークＨＮＡのルータＬＡには、基本的に、同一セグメント内に存在する携帯電話端末ＭＡの例えばＩＰアドレス等についてのみアクセス権が設定されている。
【００２５】
同様に、ホームネットワークＨＮＢのルータＬＢは、当該ホームネットワークＨＮＢ内（同一セグメントのホームネットワーク内）の各機器を接続する機能と、ユーザＹＢが加入しているインターネットサービスプロバイダ１２Ｂを通じてインターネット１０等の外部ネットワークへ必要に応じて接続する機能とを備えている。また、当該ルータＬＢには、ユーザＹＢの携帯電話端末ＭＢがネットワーク経由で自機（ルータＬＢ）の各種設定等を行うためのアクセス権が設定されている。つまり、ホームネットワークＨＮＢのルータＬＢには、基本的に、同一セグメント内に存在する携帯電話端末ＭＢの例えばＩＰアドレス等についてのみアクセス権が設定されている。
【００２６】
上述のように、本実施形態のホームネットワークＨＮＡによれば、アクセスポイントＡＰＡとルータＬＡが接続され、ルータＬＡがインターネット１０へ接続可能となされ、さらに、携帯電話端末ＭＡがアクセスポイントＡＰＡを通じてルータＬＡと接続可能になされているため、上記携帯電話端末ＭＡは、アクセスポイントＡＰＡ及びルータＬＡを通じてインターネットサービスプロバイダ１２Ａに接続することができ、これにより、インターネット１０内の例えばＩＰ電話網１１を経由した通話やデータ送受信を行うことができる。
【００２７】
同様に、本実施形態のホームネットワークＨＮＢによれば、アクセスポイントＡＰＢとルータＬＢが接続され、ルータＬＢがインターネット１０へ接続可能となされ、さらに、携帯電話端末ＭＢがアクセスポイントＡＰＢを通じてルータＬＢと接続可能になされているため、上記携帯電話端末ＭＢは、アクセスポイントＡＰＢ及びルータＬＢを通じてインターネットサービスプロバイダ１２Ｂに接続することができ、それにより、インターネット１０内のＩＰ電話網１１を経由した通話やデータ送受信を行うことができる。
【００２８】
また、本実施形態によれば、ホームネットワークＨＮＡ内の各機器には、携帯電話端末ＭＡへのアクセス権のみが設定されているため、当該携帯電話端末ＭＡは、ホームネットワークＨＮＡ内の各機器の設定や操作を行うことができる。
【００２９】
同様に、ホームネットワークＨＮＢ内の各機器には、携帯電話端末ＭＢへのアクセス権のみが設定されているため、当該携帯電話端末ＭＢは、ホームネットワークＨＮＢ内の各機器の設定や操作を行うことができる。
【００３０】
〔外部ネットワーク経由のアクセス許可設定〕
以下、本発明実施形態の通信システムにおいて、例えばユーザＹＢ側のホームネットワークＨＮＢ内のＨＤＤレコーダＲＢを、ユーザＹＡの携帯電話端末ＭＡがインターネット１０等のネットワーク経由で設定及び操作する際の各種設定処理について説明する。
【００３１】
本実施形態の通信システムにおいて、ホームネットワークＨＮＢ側のルータＬＢは、ユーザＹＢの携帯電話端末ＭＢ以外の他の端末等（この例ではユーザＹＡの携帯電話端末ＭＡ）からのネットワークアクセスに対する許可／不許可に関する設定が可能となされており、また、ネットワーク経由で例えばアクセス設定が可能であるか否か等の自機器能力に関する情報（以下、機器能力情報と表記する。）を送出する機能を備えている。
【００３２】
本実施形態の通信システムにおいて、上記ホームネットワークＨＮＢのＨＤＤレコーダＲＢは、ユーザＹＢの携帯電話端末ＭＢ以外の他の端末等（この例ではユーザＹＡの携帯電話端末ＭＡ）からのネットワークアクセスに対する許可／不許可に関する設定が可能となされており、また、ネットワーク経由で例えばアクセス設定が可能であるか否かや、ネットワーク経由で受信チャネル設定や録画予約設定等の各種設定操作が可能であること等の自機器能力に関する情報（機器能力情報）を送出する機能と、上記他の携帯電話端末ＭＡに対してネットワークアクセスの許可がなされた場合に当該他の携帯電話端末ＭＡが自機（ＨＤＤレコーダＲＢ）を一時的に操作及び設定できるようにするための一時キー（つまり認証キー）情報を出力する機能とを備えている。
【００３３】
また、本実施形態の通信システムにおいて、ホームネットワークＨＮＢ側のユーザＹＢの携帯電話端末ＭＢは、別の端末（この例ではユーザＹＡの携帯電話端末ＭＡ）との間で音声通話路が確立されている時に、上記別の携帯電話端末ＭＡが自ホームネットワークＨＮＢ内の機器にアクセスできるようにするための所定の操作をユーザＹＢが行った場合、同一セグメント内のホームネットワークＨＮＢ内の各機器の中で上記他の携帯電話端末ＭＡが外部ネットワーク経由でアクセス可能な対象機器の一覧をユーザＹＢに提示する機能と、上記対象機器の一覧の中からユーザＹＢが選択した対象機器（この例ではＨＤＤレコーダＲＢ）とルータＬＢの設定値を上記他の携帯電話端末ＭＡが外部ネットワーク経由でアクセスできるような値に変更制御する機能と、上記他の携帯電話端末ＭＡがネットワーク経由で上記対象機器（この例ではＨＤＤレコーダＲＢ）に一時的にアクセスできるようにするための情報（以下、一時アクセス情報とする。）を当該他の携帯電話端末ＭＡへ送信する機能とを備えている。なお、上記一時アクセス情報は、上記対象機器（ＨＤＤレコーダＲＢ）のエンドポイント（ＩＰアドレス、ポート番号）と上記一時キー情報からなる。
【００３４】
一方、本実施形態の通信システムにおいて、ユーザＹＡの携帯電話端末ＭＡは、上記携帯電話端末ＭＢとの間で音声通話路が確立されている時に当該端末ＭＢから送られてきた上記一時アクセス情報を受信すると、その一時アクセス情報に含まれるＩＰアドレス，ポート番号，一時キー情報を利用することにより、インターネット１０を経由して上記ユーザＹＢのホームネットワークＨＮＢへアクセスする。これにより、携帯電話端末ＭＡは、当該ホームネットワークＨＮＢ内の対象機器であるＨＤＤレコーダＲＢの設定や操作が可能となる。
【００３５】
なお、本実施形態では、携帯電話端末ＭＡと携帯電話端末ＭＢの機能を別個に説明したが、勿論、携帯電話端末ＭＡは携帯電話端末ＭＢと同じ機能を備えていても良いし、携帯電話端末ＭＢは携帯電話端末ＭＡと同じ機能を備えていても良い。
【００３６】
〔外部ネットワーク経由のアクセス時の流れ〕
以下、本発明実施形態の通信システムにおいて、例えばユーザＹＢ側のホームネットワークＨＮＢのＨＤＤレコーダＲＢの録画設定などを、ユーザＹＡが携帯電話端末ＭＡを用いて設定するまでの流れを、図２に示したシーケンス図と図３に示す携帯電話端末ＭＢの画面遷移例と図４に示す携帯電話端末ＭＡの画面遷移例とを用いて説明する。
【００３７】
図２において、先ずステップＦ１にて例えば携帯電話端末ＭＡから携帯電話端末ＭＢへＩＰ電話網１１を介した発信が行われ、次いで、ステップＦ２にて携帯電話端末ＭＢから携帯電話端末ＭＡに対して着信受け入れが行われることで、ステップＦ３にてそれら携帯電話端末ＭＡと携帯電話端末ＭＢとの間にＩＰ電話網１１による音声通話路が確立され、さらに必要に応じてステップＦ４にてそれら携帯電話端末ＭＡと携帯電話端末ＭＢとの間に暗号化通信路が確立されたとする。なお、上記ステップＦ３（若しくはステップＦ４）による通信路の確立がなされている時、携帯電話端末ＭＢのディスプレイ上には例えば図３の画面Ｖ１１に示すように相手先端末（端末ＭＡ）との間で通信路が確立されていること等を示す表示がなされ、同様に、携帯電話端末ＭＡのディスプレイ上には例えば図４の画面Ｖ１に示すように相手先端末（端末ＭＢ）との間で通信路が確立されていること等を示す表示がなされる。また、上記暗号化通信路については必須ではないが、例えば上述の一時キー（認証キー）の通信を行う場合のように、携帯電話端末ＭＡと携帯電話端末ＭＢとの間で行われる通信のセキュリティ性を保つ必要があるときには、上記ステップＦ４のように暗号化通信路を確立させることが望ましい。
【００３８】
次に、図３のＥ１１に示すようにユーザＹＢにより所定のボタン操作（例えば「機能キー」を押下する等の操作）が行われると、携帯電話端末ＭＢは、例えば図３の画面Ｖ１２に示すように、当該端末の機能一覧メニューをディスプレイ上に表示させる。そして、例えばカーソル操作等を通じて、上記画面Ｖ１２の中からホームネットワーク（ＨＮ）機器連携メニューがユーザＹＢにより選択操作（図３のＥ１２）がなされると、携帯電話端末ＭＢは、自ホームネットワークＨＮＢ内の機器を連携させるためのホームネットワーク機器連携機能を起動させ、図２のステップＦ５として、アクセスポイントＡＰＢを通じてホームネットワークＨＮＢに接続し、当該ホームネットワークＨＮＢ内に繋がれている各機器の検索（機器サーチ）を開始する。またこの時、携帯電話端末ＭＢは、例えば図３の画面Ｖ１３に示すような検索中であることをディスプレイ上に表示を行う。
【００３９】
上記携帯電話端末ＭＢにより上記機器サーチが行われると、ホームネットワークＨＮＢ内の各機器（この例ではルータＬＢ、ＨＤＤレコーダＲＢ）は、図２のステップＦ６として、ホームネットワークＨＮＢ内に各々存在すること及び各機器における前述の機器能力情報を携帯電話端末ＭＢに応答する。そして、携帯電話端末ＭＢは、各機器からの応答を受け取る（図２のＥ１３）と、それら各機器の中から、上記携帯電話端末ＭＡが外部ネットワーク経由でアクセス可能な対象機器を求め、それら対象機器の一覧を例えば図３の画面Ｖ１４に示すようにディスプレイ上に表示する。
【００４０】
次に、例えばカーソル操作等を通じて、上記画面Ｖ１４の中からユーザＹＢにより所望の対象機器（この例ではＨＤＤレコーダＲＢ）が選択（図３のＥ１４）されると、携帯電話端末ＭＢは、図２のステップＦ７として、上記ＨＤＤレコーダＲＢが外部ネットワーク経由でアクセス可能となるようにルータＬＢの設定値の変更を行うと共に、図２のステップＦ８として、ＨＤＤレコーダＲＢについても外部ネットワーク経由でのアクセスが可能となるように設定値の変更を行う。また、携帯電話端末ＭＢは、図２のステップＦ９として、ＨＤＤレコーダＲＢに対しては一時キー情報を要求する。なお、上記設定値の変更を行っている時、携帯電話端末ＭＢは、例えば図３の画面Ｖ１５に示すような設定変更中であることをディスプレイ上に表示する。
【００４１】
次いで、携帯電話端末ＭＢは、図２のステップＦ１１にて上記ＨＤＤレコーダＲＢから一時キー情報を取得すると、図２のステップＦ１１として、携帯電話端末ＭＡがネットワークを経由してＨＤＤレコーダＲＢへ一時的にアクセスするための前述した一時アクセス情報を、ＩＰ電話網１１を経由して当該携帯電話端末ＭＡへ送信する。
【００４２】
上記ＨＤＤレコーダＲＢへの一時アクセス情報を受信（図４のＥ１）した携帯電話端末ＭＡは、自ホームネットワークＨＮＡとは異なるセグメントのホームネットワーク（この例ではホームネットワークＨＮＢ）の機器へインターネット等を経由して接続するか否かをユーザＹＡに問うための例えば図３の画面Ｖ２に示すようなディスプレイ表示を行う。そして、例えばカーソル操作等を通じて、上記図３の画面Ｖ２の中から「接続する」がユーザＹＡにより選択（図４のＥ２）されると、携帯電話端末ＭＡは、図２のステップＦ１２として、先に受信した一時アクセス情報を利用して、上記ＨＤＤレコーダＲＢとの間の通信路を確立する。なお、上記ＨＤＤレコーダＲＢと通信を行っているとき、携帯電話端末ＭＡは、例えば図４の画面Ｖ３に示すように、接続中であることを示す情報をディスプレイ上に表示する。
【００４３】
次に、携帯電話端末ＭＡは、図２のステップＦ１３として、ＨＤＤレコーダＲＢから現在の機器の状態を表す機器情報（例えば「録画設定」に関する命令を受け付け可能である等の情報）を受け取る。また、携帯電話端末ＭＡは、上記受け取った機器情報に基づいて、図４の画面Ｖ４に示すように、当該ＨＤＤレコーダＲＢの設定や操作を行う際のユーザインターフェース用のメニューをディスプレイ上に表示させる。そして、例えばカーソル操作等を通じて、上記図４の画面Ｖ４の中から例えば録画設定メニューがユーザＹＡにより選択操作（図４のＥ４）されると、携帯電話端末ＭＡは、例えば図４の画面Ｖ５に示すように、ＨＤＤレコーダＲＢにて例えばテレビジョン番組の録画を行うための設定画面を表示する。
【００４４】
次いで、その録画設定画面を利用してユーザＹＡが録画番組の選択等（図４のＥ５）を行うと、携帯電話端末ＭＡは、図４の画面Ｖ６に示すように、当該ユーザＹＡにて行われた録画番組の選択状況等をディスプレイ表示させる。そして、ユーザＹＡによる例えば決定キー等の押下操作により、先の番組録画の設定内容が決定されると、携帯電話端末ＭＡは、図２のステップＦ１４として、上記ユーザＹＡにより選択等された番組録画の設定情報を上記ＨＤＤレコーダＲＢへ送信する。これにより、ＨＤＤレコーダＲＢは録画設定がなされることになる。
【００４５】
その後、例えば携帯電話端末ＭＡにてユーザＹＡが終話ボタンを押下する等の操作を行い、当該携帯電話端末ＭＡと携帯電話端末ＭＢとの間の音声通話が終了して、ステップＦ１５にて音声通話路が切断されると、携帯電話端末ＭＢは、ステップＦ１６及びステップＦ１７として、先のステップＦ７及びステップＦ８にて行ったルータＬＢとＨＤＤレコーダＲＢに対する設定を解除する。これにより、ホームネットワークＨＮＢのルータＬＢとＨＤＤレコーダＲＢの設定は外部からのアクセス不許可設定（セキュアな状態に戻る）となり、したがって、携帯電話端末ＭＡはホームネットワークＨＮＢへのアクセスが出来なくなる。
【００４６】
なお、上述の説明では、終話に応じて上記携帯電話端末ＭＢがホームネットワークＨＮＢをアクセス不可設定状態に戻す例を挙げたが、例えばネットワーク経由によるアクセス許可設定を行った時点で時間カウントを開始し、その時間カウント値が予め決められたタイムアップカウント値になった時に、上記ホームネットワークＨＮＢをアクセス不可設定状態に戻すようにしても良い。
【００４７】
〔携帯電話端末の内部構成〕
図５には、上述した携帯電話端末ＭＡ，ＭＢの機能を備えた本実施形態の携帯電話端末の概略的な内部回路構成を示す。
【００４８】
図５において、データラインは、音声データや電子メールデータ、画像データなの各種データを伝送するための伝送ラインである。制御ラインは、ＣＰＵ（中央処理ユニット）により構成されている制御部３０からの制御データなど、各種制御情報を伝送するための伝送ラインである。
【００４９】
アンテナ３２は、携帯電話網の基地局との間で信号電波の送受信を行うためのアンテナであり、通信回路３１に接続されている。通信回路３１は、送受信信号の周波数変換、変調と復調等を行う。
【００５０】
無線ＬＡＮ制御部４４と無線ＬＡＮ用アンテナ４５は、本実施形態の携帯電話端末が無線ＬＡＮ通信を行うためのデバイスである。本実施形態の携帯電話端末は、これら無線ＬＡＮ制御部４４と無線ＬＡＮ用アンテナ４５を通じて、例えば前述したホームネットワーク内のアクセスポイントへアクセスすることにより、当該ホームネットワーク内の各機器に接続したり、必要に応じてインターネット１０等に接続可能となされている。また、本実施形態の携帯電話端末の場合、前述したように、当該無線ＬＡＮを介してインターネット１０に接続することで、ＩＰ電話網１１へも接続可能となされている。
【００５１】
上記アンテナ３２及び通信回路３１にて受信された通話音声データや上記無線ＬＡＮを介してＩＰ電話網から得られた通話音声データは、音声処理部４２へ送られ、それ以外の受信データは、制御部３０へ送られて適切に処理された後、必要に応じて当該制御部３０から各部へ送られる。なお、通話音声以外の受信データは、例えば電子メールデータ、動画像や静止画の画像データ、音楽等のデータ、ＨＴＭＬ（Hyper Text Markup Language）データ、プログラムコードのデータ挙げることができる。
【００５２】
上記通話音声データが供給された時の音声処理部４２は、当該通話音声データを復号化し、その復号化後の通話音声データをアナログ音声信号に変換し、そのアナログ音声信号をスピーカ４０若しくは図示しないイヤホンジャックへ送る。
【００５３】
スピーカ４０は、端末本体に内蔵され、供給されたアナログ音声信号を内部増幅器により増幅した後、その音声信号を可聴音声に変換して外部に出力する。これにより、スピーカ４０からは通話音声が出力されることになる。
【００５４】
マイクロホン４１は、端末本体に内蔵され、入力音声をアナログ音声信号に変換すると共に内部増幅器により増幅し、さらにそのアナログ音声信号を音声処理部４２に送る。
【００５５】
上記マイクロホン４１から通話音声信号が供給された時の音声処理部４２は、その通話音声信号をディジタル音声データに変換した後に符号化し、さらにその符号化後の通話音声データを通信回路３１若しくは無線ＬＡＮ制御部４４へ送る。これにより、携帯電話網を利用した音声信号の送信やＩＰ電話網１１を利用した音声信号の送信が可能となる。
【００５６】
表示部３３は、例えば液晶ディスプレイ等とその液晶ディスプレイを駆動するためのディスプレイ駆動回路とからなる。ディスプレイ駆動回路は、制御部３０から供給された表示信号や画像処理部４３から供給された画像信号に基づいて、上記液晶ディスプレイを駆動する。これにより、ディスプレイには、画像や文字等が表示される。
【００５７】
操作部３４は、テンキー（キーボード）や電源ボタン、発話／終話ボタン、十字キーなどの操作子と、それら操作子の操作に応じた操作信号を発生する操作信号発生器とからなる。ユーザは、この操作部３４を操作することにより、通話のための発着呼や電子メール文の作成、電子メールの送受信、インターネットへの接続、前述したような機器連携の開始指示やホームネットワーク内の機器選択、ネットワーク経由による機器操作，機器設定等の指示操作を行う。
【００５８】
画像処理部４３は、制御部３０による制御の元で内蔵メモリから読み出された圧縮符号化されている画像データや、インターネット等を介して取得した画像データ等を伸張復号化等し、その伸張復号後の画像データをデータラインを介して表示部３３へ送る。また、画像処理部４３は、図示しないカメラ部により撮影された静止画像や動画像のデータの圧縮符号化等を行い、その圧縮符号化された画像データを、制御部３０による制御の元で内蔵メモリに送って記憶させる。
【００５９】
メモリ部３５は、ＲＯＭ（Read Only Memory）とＲＡＭ（Random Access Memory）を含む。ＲＯＭは、ＯＳ（Operating System）、制御部３０が各部を制御するための制御プログラムコード、各種の初期設定値、フォントデータ、辞書データ、着信音やキー操作音等の各種音データ、本実施形態にかかる前述したホームネットワーク等へのアクセス制御やホームネットワーク内の各機器の設定，制御、ネットワーク経由による各機器の操作，設定、それらに応じたディスプレイ画面表示制御等を行うためのプログラムコード、その他、当該端末に搭載される各種のアプリケーション用のプログラムコード、当該端末の機器識別情報（ＩＤ）などを記憶している。このＲＯＭは、ＮＡＮＤ型フラッシュメモリ（NAND-type flash memory）或いはＥＥＰＲＯＭ（Electrically Erasable Programmable Read-Only Memory）のような書き換え可能なＲＯＭを含み、電子メールデータ、電話帳や電子メールアドレス帳のデータ、スケジュール帳のデータ、通信履歴，通信料金等の通信に関連する様々なデータ、辞書データ、静止画や動画データ、キー操作音，報知音用等の音データ、その他、各種のユーザ設定値等を保存することも可能となされている。ＲＡＭは、制御部３０が各種のデータ処理を行う際の作業領域として、随時データを格納する。
【００６０】
制御部３０は、ＣＰＵからなり、メモリ部３５に記憶されているＯＳや各種プログラムに基づいて、当該端末の様々な制御、本実施形態にかかる前述したホームネットワーク等へのアクセス制御やホームネットワーク内の各機器の設定，制御、ネットワーク経由による各機器の操作，設定、それらに応じたディスプレイ画面表示制御等を行う。
【００６１】
その他、図５には図示を省略しているが、本実施形態の端末は、ディジタルカメラ部や外部メモリインターフェース、外部ケーブル用コネクタ、赤外線通信機能、電子財布機能、バッテリ、電力制御機能、ＬＥＤ（発光ダイオード）部、バイブレータなど、一般的な携帯電話端末が備えている各構成要素についても備えている。
【００６２】
〔まとめ〕
以上説明したように、本発明実施形態の携帯電話端末及び通信システムによれば、携帯電話端末ＭＡと携帯電話端末ＭＢとの間で音声通話路が確立されている場合に、それら携帯電話端末のユーザＹＡとユーザＹＢは信頼できる関係を有しているとみなし、ユーザＹＡとユーザＹＢが使用している携帯電話端末ＭＡと携帯電話端末ＭＢは信頼できるものとし、例えば、ユーザＹＢのホームネットワークＨＮＢ内の各機器に対して携帯電話端末ＭＢに与えられているのと同様のアクセス権を一時的にユーザＹＡの携帯電話端末ＭＡにも与えることにより、ユーザＹＢはホームネットワークＨＮＢ内の各機器を外部ネットワーク経由でアクセス可能にするための複雑な設定操作を自ら行う必要がなく、また、ユーザＹＡは携帯電話端末ＭＡを用いてユーザＹＢのホームネットワークＨＮＢ内の各機器の設定や操作が可能となっている。すなわち本発明実施形態によれば、音声通話路の確立の有無により、ネットワーク経由のアクセス許可／不許可、停止等が行われるため、ユーザはネットワーク経由のアクセスを行うために特別な操作を行う必要がない。また、本実施形態によれば、音声通話路が確立され且つユーザが許可した時にのみネットワーク経由のアクセスが可能となされ、一方、音声通話路が切断されたときにはアクセス不可能となるため、音声通話中でない時にユーザが意図しない外部アクセスを防ぐことができ、従来のようにルータなどに対する複雑なセキュリティ設定も必要ない。
【００６３】
したがって、本実施形態によれば、例えば、ＨＤＤレコーダの録画設定等ができない父母が、遠隔地に住んでいる子供等の携帯電話端末に電話を架け、簡単な操作を行うことで、その子供の携帯電話端末に父母等の家のＨＤＤレコーダへのアクセス権を与え、当該子供に録画設定を行ってもらうようなことが可能となる。勿論、ＨＤＤレコーダに限らず、パーソナルコンピュータの設定、プリンタの設定を行う場合も同様のことが可能である。また、本実施形態によれば、例えば自宅等のパーソナルコンピュータにてトラブルが発生したユーザが、例えばカスタマーセンタに電話を架け、ユーザの合意のもとに当該カスタマーセンタの担当者の端末からパーソナルコンピュータへのアクセス権を与え、上記カスタマーセンタの端末から当該パーソナルコンピュータの設定やトラブル解決を行う等のサポートが、安全且つ簡単に実現可能となる。
【００６４】
また、本実施形態の通信システムは、携帯電話端末とホームネットワークにより実現可能であり、従来のような大規模且つ複雑なシステムは不要である。
【００６５】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００６６】
本発明にかかる通信端末は、上述した携帯電話端末に限定されず、通信機能を備えたＰＤＡ（Personal Digital Assistants）やカーナビゲーション装置、携帯型のＡＶ機器等様々な携帯端末にも適用可能である。また、本発明の通信システムにかかるネットワークは、ホームネットワークシステムに限定されず、他の各種ネットワークにも適用可能である。
【図面の簡単な説明】
【００６７】
【図１】本発明実施形態の通信システムの概念図である。
【図２】例えばユーザＹＢ側のホームネットワークＨＮＢのＨＤＤレコーダＲＢの録画設定などをユーザＹＡが携帯電話端末ＭＡを用いて設定するまでの流れを示すシーケンス図である。
【図３】図２のシーケンス図に示す処理が実行されている時に、携帯電話端末ＭＢのディスプレイ上に表示される画面の遷移例を示す図である。
【図４】図２のシーケンス図に示す処理が実行されている時に、携帯電話端末ＭＡのディスプレイ上に表示される画面の遷移例を示す図である。
【図５】本発明実施形態の携帯電話端末の概略的な内部構成を示すブロック図である。
【符号の説明】
【００６８】
ＹＡ，ＹＢ  ユーザ、ＭＡ，ＭＢ  携帯電話端末、ＨＮＡ，ＹＮＢ  ホームネットワーク、ＬＡ，ＬＢ  ルータ、ＡＰＡ，ＡＰＢ  アクセスポイント、ＲＢ  ＨＤＤレコーダ、１０  インターネット、１１  ＩＰ電話網、１２Ａ，１２Ｂ  インターネットサービスプロバイダ、３０  制御部、３１  通信回路、３２  通信用のアンテナ、３３  表示部、３４  操作部、３５  メモリ部、４０  スピーカ、４１  マイクロホン、４２  音声処理部、４３  画像処理部、４４  無線ＬＡＮ制御部、４５  無線ＬＡＮ用アンテナ
【図１】
2008210397.tif 000003
【図２】
2008210397.tif 000004
【図３】
2008210397.tif 000005
【図４】
2008210397.tif 000006
【図５】
2008210397.tif 000007